(57)【特許請求の範囲】
【請求項１】
遊技機の遊技盤の縁部を被固定部に対し着脱可能に固定する遊技盤のクランプ装置であって、
該被固定部に固定されるベース部材と、
該ベース部材に第１枢軸を介して回動可能に枢支され、該遊技盤の縁部を挟持する挟持部を有したクランプ部材と、
該クランプ部材に第２枢軸を介して回動可能に枢支され、開放時に開放操作されるアンクランプ部材と、
該ベース部材に取り付けられ、該クランプ部材の挟持部との間で該遊技盤の縁部を挟持する板ばね部材と、を備え、
該アンクランプ部材を付勢する弾性片がクランプ本体に設けられ、
該クランプ部材と該板ばね部材が該遊技盤の縁部を挟持しクランプしたとき、該ベース部材に設けたベース係止部に係止されるクランプ用係止部が該アンクランプ部材に設けられ、
該遊技盤の縁部を該クランプ部材の挟持開口部内に嵌め入れて該クランプ部材を回動させたとき、該遊技盤の縁部が該クランプ部材の挟持部と該板ばね部材との間で挟持されると共に、該アンクランプ部材の該クランプ用係止部が該ベース係止部に係止されて、該遊技盤がクランプされ、
該アンクランプ部材を開放操作したとき、該クランプ用係止部が該ベース係止部から外れて開放側に回動し、該クランプ部材が該弾性片により開放側に付勢されて回動することを特徴とする遊技盤のクランプ装置。
【請求項２】
前記クランプ部材は、合成樹脂製の前記クランプ本体の両側を金属製のクランプ側板で挟んで形成され、該クランプ本体の一部に前記弾性片が一体成形されたことを特徴とする請求項１記載の遊技盤のクランプ装置。
【請求項３】
前記アンクランプ部材は、側面を略Ｌ字状とした形状に成形される一方、該アンクランプ部材の略中央部を第２枢軸により回動可能に軸支され、該アンクランプ部材の先端に操作部が設けられ、該アンクランプ部材の上面に上記クランプ用係止部及び開放用係止部が設けられ、該アンクランプ部材を開放操作したとき、該ベース係止部が該クランプ用係止部から外れて該開放用係止部に係止されることを特徴とする請求項１記載の遊技盤のクランプ装置。
【請求項４】
前記クランプ部材の両側のクランプ側板に円弧状突出部が設けられ、前記遊技盤の縁部を該クランプ部材の挟持開口部内に嵌め入れる際、該遊技盤の縁部が該円弧状突出部に当接して、該クランプ部材をクランプ側に回動させることを特徴とする請求項１記載の遊技盤のクランプ装置。
【請求項５】
前記板ばね部材の先端に、円弧状先端部が設けられ、前記遊技盤の縁部をクランプする際、該円弧状先端部に該縁部を当接させた状態でクランプすることを特徴とする請求項１記載の遊技盤のクランプ装置。
【請求項６】
前記クランプ部材の挟持部の開放側に前記クランプ側板から突出する形態で、膨出曲面部が前記合成樹脂製のクランプ本体に設けられたことを特徴とする請求項２記載の遊技盤のクランプ装置。
【発明の詳細な説明】
【技術分野】
【０００１】
本発明は、パチンコ機などの遊技機における遊技盤を、着脱可能に固定する遊技盤のクランプ装置に関する。
【背景技術】
【０００２】
パチンコ機などの遊技機における遊技盤は、保守点検の際、或いは修理や盤面のマイナーチェンジなどの際、取り外す必要があるため、遊技機の前面枠に対し着脱可能に固定されている。
【０００３】
この種の固定具として、従来では、遊技盤の縁部を囲うように設けられた遊技盤取付枠に、係止部を回動可能に設けた回動形固定具を、取り付けてなる遊技盤用固定具が、下記特許文献１などで提案されている。この種の遊技盤用固定具は、先ず遊技盤取付枠の内側に遊技盤を嵌め込み、次に、その係止部を約９０度回して、係止部により遊技盤の縁部を押し付けて固定するように使用される。
【先行技術文献】
【特許文献】
【０００４】
【特許文献１】特開平１１−１７９０１９号公報
【発明の概要】
【発明が解決しようとする課題】
【０００５】
しかし、従来のこの種の遊技盤用固定具は、遊技盤を固定する際、先ず、遊技盤を持ち上げながら、前面枠の内側の遊技盤取付枠内に挿入し、さらにその状態の遊技盤を一方の手で押えながら、固定具の係止部を他方の手で回すように操作して、係止部により遊技盤の縁部を押し付け、係止部を付勢するばね部材のばね力により、係止部を遊技盤の縁部に押し付けて固定し、このとき、係止部はばね力により遊技盤を押し付けながら回動するため、回動時の摩擦抵抗が大きく、作業者にとっては、遊技盤を一方の手で押えながら固定具の係止部を他方の手で回す必要があって、作業性が悪く、また、係止部の係止具合によっては固定が不完全になりやすいという課題があった。
【０００６】
一方、遊技盤の固定を解除して外す場合、遊技盤を一方の手で押さえながら、他方の手で回動形固定具の係止部を回して固定を解除し、この後、遊技盤の縁を持って遊技盤取付枠内から遊技盤を引き出すこととなるが、遊技盤には取手のような把持部がなく、作業者によっては盤面の装飾部分を取手の代用として持って遊技盤を引き出すため、装飾部分を汚したり傷つける虞があり、遊技盤を外す作業の作業性も悪いという課題があった。
【０００７】
本発明は、上述の課題を解決するものであり、遊技盤固定枠などの被固定部に対し遊技盤を作業性良くクランプし、且つ作業性良くアンクランプすることができる遊技盤のクランプ装置を提供することを目的とする。
【課題を解決するための手段】
【０００８】
本発明に係る請求項１の遊技盤のクランプ装置は、遊技機の遊技盤の縁部を被固定部に対し着脱可能に固定する遊技盤のクランプ装置であって、
該被固定部に固定されるベース部材と、
該ベース部材に第１枢軸を介して回動可能に枢支され、該遊技盤の縁部を挟持する挟持部を有したクランプ部材と、
該クランプ部材に第２枢軸を介して回動可能に枢支され、開放時に開放操作されるアンクランプ部材と、
該ベース部材に取り付けられ、該クランプ部材の挟持部との間で該遊技盤の縁部を挟持する板ばね部材と、を備え、
該アンクランプ部材を付勢する弾性片がクランプ本体に設けられ、
該クランプ部材と該板ばね部材が該遊技盤の縁部を挟持しクランプしたとき、該ベース部材に設けたベース係止部に係止されるクランプ用係止部が該アンクランプ部材に設けられ、
該遊技盤の縁部を該クランプ部材の挟持開口部内に嵌め入れて該クランプ部材を回動させたとき、該遊技盤の縁部が該クランプ部材の挟持部と該板ばね部材との間で挟持されると共に、該アンクランプ部材の該クランプ用係止部が該ベース係止部に係止されて、該遊技盤がクランプされ、
該アンクランプ部材を開放操作したとき、該クランプ用係止部が該ベース係止部から外れて開放側に回動し、該クランプ部材が該弾性片により開放側に付勢されて回動することを特徴とする。
【０００９】
この発明によれば、遊技盤の縁部を、開放状態にあるクランプ装置のクランプ部材の挟持開口部内に挿入するように、クランプ部材及びアンクランプ部材をクランプ方向に回動させるだけの簡単な操作により、遊技盤の縁部をクランプ部材と板ばね部材との間でクランプさせて、遊技盤を被固定部に固定することができる。また、遊技盤を外す際には、アンクランプ部材を開放側に操作してベース係止部に対するクランプ用係止部の係合を外し、クランプ部材及びアンクランプ部材を開放側に回動させるだけの簡単な操作で、遊技盤の縁部を押し出すように開放させ、遊技盤を被固定部から離脱されることができる。
【００１０】
請求項２の発明は、上記請求項１のクランプ装置において、上記クランプ部材は、合成樹脂製のクランプ本体の両側を金属製のクランプ側板で挟んで形成され、該クランプ本体の一部に上記弾性片が一体成形されたことを特徴とする。
【００１１】
この発明によれば、クランプ装置に使用される部品点数を削減し構造を簡単化することができると共に、クランプ装置を組み立てる際、コイルばねなどによる強力なクランプ部材の付勢構造を有しないので、治具を用いてクランプ部材などを付勢状態に保持しながら組み付けるという煩雑な作業が不要となり、クランプ装置製造時の組付け作業性を向上させることができる。
【００１２】
また、請求項３の発明は、上記請求項１のクランプ装置において、上記アンクランプ部材は、側面を略Ｌ字状に形成される一方、該アンクランプ部材の略中央部を第２枢軸により回動可能に該クランプ部材に対し軸支され、該アンクランプ部材の先端に操作部が設けられ、該アンクランプ部材の上面に上記クランプ用係止部及び開放用係止部が設けられ、該アンクランプ部材を開放操作したとき、該ベース係止部が該クランプ用係止部から外れて該開放用係止部に係止されるように構成される。
【００１３】
この発明によれば、良好なクランプ機能とアンクランプ機能を保持しつつ、クランプ装置の構造を簡単化して、小型化することができ、クランプ装置を安価に製造することができる。
【００１４】
また、請求項４の発明は、上記請求項１のクランプ装置において、上記クランプ部材の両側のクランプ側板に円弧状突出部が設けられ、上記遊技盤の縁部を該クランプ部材の挟持開口部内に嵌め入れる際、該遊技盤の縁部が該円弧状突出部に当接して、該クランプ部材をクランプ側に回動させることを特徴とする。
【００１５】
この発明によれば、遊技盤をクランプする際、クランプ部材をクランプ側に円滑に回動させてクランプすることができる。
【００１６】
また、請求項５の発明は、上記請求項１のクランプ装置において、上記板ばね部材の先端に、円弧状先端部が設けられ、上記遊技盤の縁部をクランプする際、該円弧状先端部に該縁部を当接させた状態でクランプすることを特徴とする。
【００１７】
この発明によれば、遊技盤をアンクランプする際、クランプ部材がアンクランプ側に回動したとき、板ばね部材の付勢力で遊技盤の縁部を作業者側に押し出すように動作させることができ、遊技盤の離脱性を向上させることができる。
【００１８】
また、請求項６の発明は、上記請求項２のクランプ装置において、上記クランプ部材の挟持部の開放側に上記クランプ側板から突出する形態で、膨出曲面部が上記合成樹脂製の上記クランプ本体に設けられたことを特徴とする。
【００１９】
この発明によれば、遊技盤の縁部をクランプ部材の挟持部に嵌め入れてクランプする際、膨出曲面部が円滑に遊技盤の縁部をガイドしてクランプするため、クランプ側板の角部が遊技盤に当たって傷つけることがなく、各部材の寸法誤差による不具合も解消することができる。
【発明の効果】
【００２０】
本発明の遊技盤のクランプ装置によれば、遊技盤の縁部をクランプ部材の挟持開口部に挿入して、クランプ部材及びアンクランプ部材をクランプ方向に回動させるだけの簡単な操作により、作業性良く遊技盤をクランプして被固定部に固定することができる。また、遊技盤を外す際には、アンクランプ部材を開放側に回動操作して、クランプ部材及びアンクランプ部材を開放方向に回動させるだけの簡単な操作により、作業性良く遊技盤をアンクランプ（開放）して被固定部から離脱されることができる。
【図面の簡単な説明】
【００２１】
【図１】本発明に一実施形態を示すクランプ装置の左側面図である。
【図２】同クランプ装置の平面図である。
【図３】同クランプ装置の正面図である。
【図４】（ａ）はクランプ部材及びアンクランプ部材の分解左側面図、（ｂ）は組み付けた状態の同左側面図である。
【図５】（ａ）はクランプ部材及びアンクランプ部材の分解平面図、（ｂ）は組み付けた状態の同平面図である。
【図６】（ａ）はベース部材と板ばね部材の分解左側面図、（ｂ）は組み付け状態の同左側面図である。
【図７】（ａ）はベース部材と板ばね部材の分解平面図、（ｂ）は組み付け状態の同平面図である。
【図８】クランプ装置（クランプ部材、アンクランプ部材及びベース部材）の分解左側面図である。
【図９】クランプ装置の断面図である。
【図１０】クランプ装置のアンクランプ時の断面図である。
【図１１】クランプ動作を示す左側面の動作説明図である。
【図１２】アンクランプ（開放）動作を示す左側面の動作説明図である。
【図１３】クランプ装置の使用状態を示す正面図である。
【図１４】他の使用状態を示す正面図である。
【発明を実施するための形態】
【００２２】
以下、本発明の一実施形態を図面に基づいて説明する。図１は遊技盤用のクランプ装置の左側面図を示し、図２は同クランプ装置の平面図を、図３はその正面図を示している。このクランプ装置１は、概略的には、遊技盤固定枠（被固定部）２１に固定されるベース部材２と、ベース部材２に第１枢軸１１を介して回動可能に枢支され、遊技盤２０の縁部を挟持する挟持部３ｂを有したクランプ部材３と、ベース部材２に取り付けられ、クランプ部材３の挟持部３ｂとの間で遊技盤２０の縁部を挟持する板ばね部材７と、クランプ部材３に第２枢軸１２を介して回動可能に枢支され、開放時に開放操作されるアンクランプ（開放）部材８と、を備えて構成される。
【００２３】
アンクランプ部材８には、クランプ部材３と板ばね部材７が遊技盤の縁部を挟持しクランプしたとき、ベース部材２に設けたシャフト状のベース係止部１４に係止されるクランプ用係止部１６と、クランプ部材３と板ばね部材７が遊技盤の縁部を開放したとき、ベース係止部１４に係止される開放用係止部１５とが設けられる。アンクランプ部材８の上面に形成されたクランプ用係止部１６と開放用係止部１５は、図４に示すように、間に山部１７を挟む谷部（凹部）として形成され、アンクランプ部材８を開放操作したとき、ベース係止部１４がクランプ用係止部１６から外れ、山部１７を越えて開放用係止部１５に達するように摺動する。
【００２４】
クランプ部材３のクランプ本体５の上面には弾性片６が設けられ、アンクランプ部材８は、この弾性片６によりクランプ用係止部１６をベース係止部１４に係合させる方向に付勢され、クランプ用係止部１６がベース係止部１４から外れるようにアンクランプ部材８が開放操作されて第２枢軸１２を軸に回動したとき、クランプ部材３が弾性片６によりアンクランプ（開放）側に付勢されて回動するようになっている。
【００２５】
図６、図７に示すように、ベース部材２は、金属板を略コ字状に曲折して形成され、固定孔を設けた固定片２ａが背面両側に突設され、被固定部の遊技盤固定枠２１に固定される構造である。ベース部材２の上部内側に、シャフト状のベース係止部１４が両側の側壁に、水平横方向に掛け渡すように取り付けられる。ベース係止部１４は、クランプ部材３のクランプ動作に伴い、アンプランプ部材８のクランプ用係止部１６に係止され、アンプランプ部材８が開放操作されて第２枢軸１２を軸に回動したとき、クランプ用係止部１６から外れる構造である。さらに、ベース部材２には、図６に示すように、板ばね部材７が、その上部をリベット７ｂにより固定され、先端を下方に突き出すように取り付けられる。
【００２６】
この板ばね部材７は板ばねを略くの字状に曲げて形成され、且つその先端部は円弧状に曲げられて円弧状先端部７ａとなっている。この板ばね部材７は、上記クランプ部材３の挟持部３ｂと間で遊技盤の縁部を挟持するように作用し、遊技盤の縁部をクランプするために挟持開口部３ａ内に押し込んだとき、板ばね部材７の付勢力に抗して遊技盤の縁部を押し込むこととなり、アンクランプ時には、板ばね部材７のばね力により、遊技盤の縁部が開放側に押し出されるようになっている。
【００２７】
さらに、ベース部材２の内側には、上記アンクランプ部材８及びクランプ部材３の組付体が、第１枢軸１１を介して回動可能に組み付けられる。第１枢軸１１は、ベース部材２の下部におけるベース係止部１４の下方付近の両側壁に、水平横方向に掛け渡すように取り付けられる。ベース部材２の背面側には両側壁に連続する背面壁が形成されている。
【００２８】
クランプ部材３は、図４、５に示す如く、合成樹脂製のクランプ本体５の両側に金属製のクランプ側板４を固定し、側面を略コ字状とした形状に形成され、その略中央部が図８のように、ベース部材２に対し第１枢軸１１により回動可能に軸支される。クランプ本体５は合成樹脂により側面を略Ｌ字状とした形状に形成され、その上部にはばね状弾性を有する弾性片６がアンクランプ部材８側に突き出すように斜めに突設されている。
【００２９】
この弾性片６は、クランプ時には、図９のように、アンクランプ部材８のクランプ用係止部１６をベース係止部１４に押し付けるように付勢する一方、アンクランプ時には、アンクランプ部材８の第２枢軸１２を軸とする回動に伴い、クランプ部材３を開放側に付勢するように作用する。この弾性片６は合成樹脂製のクランプ本体５の型成形時に一体成形されるため、部品点数が増すことはなく、組み立ての際に組付け工数を増すこともない。
【００３０】
また、クランプ本体５には図４に示すように、２個の貫通孔５ａ，５ｂが設けられ、一方の貫通孔５ｂには固定ピン１３が両側のクランプ側板４、４の貫通孔を通して挿通され、固定ピン１３により２枚のクランプ側板４、４の間に、クランプ本体５を挟み込むように固定している。また、図４に示す如く、他方の貫通孔５ａには第１枢軸１１が挿通される。クランプ本体５の両側を挟むように固定されるクランプ側板４、４には、上記貫通孔５ａ，５ｂに対応した位置に、貫通孔４ｂ、４ｃが設けられ、そこには第１枢軸１１、固定ピン１３が挿通される。
【００３１】
また、両側のクランプ側板４、４の上部には、図４のように、貫通孔４ｄが設けられ、この貫通孔４ｄにはアンクランプ部材８を枢支する第２枢軸１２が挿通される。さらに、両側のクランプ側板４，４の一方の下部には、円弧状突出部４ａが設けられる。この円弧状突出部４ａは、クランプする際、遊技盤の縁部がそこに当接し、アンクランプする際にクランプ部材３が回動するとき、円弧状突出部４ａを介して遊技盤の縁部を押し出すように作用する。
【００３２】
また、図１に示すように、クランプ部材３の挟持部３ｂの開放側に、クランプ側板４，４から突出する形態で、膨出曲面部５ｃが合成樹脂製のクランプ本体５に設けられている。この合成樹脂製の膨出曲面部５ｃは、遊技盤の縁部をクランプ部材３の挟持部３ｂに嵌め入れてクランプする際、円滑に遊技盤の縁部をガイドするように作用し、クランプ側板４，４の角部が遊技盤に当たって傷つけることがなく、各部材の寸法誤差によるクランプ時の不具合も解消することができる。
【００３３】
アンクランプ部材８は、側面視を略Ｌ字状としてレバー状に形成され、その先端に略円形の操作部８ａが設けられ、操作部８ａは指などで手前から斜め上方に引くように操作される。また、その略中央部に軸孔８ｂが設けられ、この軸孔８ｂと第２枢軸１２を介して、アンクランプ部材８はクランプ部材３に対し回動可能に枢支される。つまり、アンクランプ部材８は、図４の如く、クランプ部材３内に位置した状態で、その軸孔８ｂに両側のクランプ側板４，４の貫通孔４ｄから第２枢軸１２が挿通され、アンクランプ部材８はこの第２枢軸１２を軸に所定の角度範囲内で回動可能である。また、このようにクランプ部材３に対し第２枢軸１２により枢支されたアンクランプ部材８は、弾性片６により、図４の時計方向に、付勢されることとなる。なお、アンクランプ部材８は金属により成形されるが、硬質合成樹脂により成形することもできる。
【００３４】
さらに、アンクランプ部材８の上面には、上記のように、谷部（凹部）としての開放用係止部１５とクランプ用係止部１６が山部１７の両側に形成され、クランプ時にはクランプ用係止部１６がベース係止部１４に係止されてクランプ状態が保持され、アンクランプ部材８の開放操作時には、アンクランプ部材８の回動に伴い、クランプ用係止部１６がベース係止部１４から外れ、クランプ部材３とアンクランプ部材８が開放側に回動し、開放用係止部１５がベース係止部１４に係止されて、開放状態が保持されるようになっている。
【００３５】
アンクランプ部材８は、図４に如く、上記クランプ部材３の上部内側に挿入され、両側のクランプ側板４，４の貫通孔４ｄ及び軸孔８ｂに第２枢軸１２を挿入し、クランプ部材３の基部に対し回動可能に枢支される。この状態で、図４ｂのように、弾性片６の先端がアンクランプ部材８の下面に当接し、アンクランプ部材８は弾性片６によって図４ｂの時計方向に付勢されて組み付けられ、安定状態となる。
【００３６】
このようなクランプ部材３とアンクランプ部材８の組付体は、図８に示すように、板ばね部材７を取り付けたベース部材２の内側に挿入して、組み付けられる。つまり、クランプ部材３の組付体は、ベース部材２の内側に挿入され、貫通孔４ｂとベース部材２の両側下部に設けた軸孔２ｂを合わせた状態で、第１枢軸１１を軸孔２ｂから貫通孔４ｂ、軸孔５ａに挿通して、組み付けられる。
【００３７】
クランプ部材３の組付体をベース部材２に組み付ける際、図１０に示すように、クランプ状態ではなく開放状態で組み付ければ、弾性片６による付勢力を殆ど生じさせずに、組み付けることができる。この場合、軸孔２ｂ、貫通孔４ｂ、軸孔５ａを合わせた状態で、ベース係止部１４にアンクランプ部材８の開放用係止部１５を当てながら、第１枢軸１１をそれらの孔に挿入するようにして、クランプ装置を簡単に組み立てることができる。
【００３８】
次に、上記構成の遊技盤のクランプ装置１の動作を説明する。クランプ装置１は、図１３に示すように、パチンコ遊技機の前面枠内に取り付けられた遊技盤固定枠２１の角部の内側面（遊技盤２０の表面から背面側に１段入った面）に、そのベース部材２の固定片２ａと固定ねじを用いて固定される。遊技盤２０の右側縁部の上部と下部には、図１３のように、方形切欠部が形成され、この方形切欠部に対応した遊技盤固定枠２１の上部位置と下部位置に、１対のクランプ装置１が上部では下向きに（挟持部３ｂを下に向けて）、下部では上向きに（挟持部３ｂを上に向けて）固定される。各クランプ装置１の挟持部３ｂは、遊技盤固定枠２１から遊技盤側に突き出してクランプ可能に取り付けられる。
【００３９】
遊技盤２０の左側端部は、側端保持部２２によって、ある程度の範囲で回動可能に保持される。側端保持部２２は、例えば板ばねを曲折して形成され、遊技盤２０の左側端部を側端保持部２２の凹部内に、ばね弾性を生じさせながら嵌め込み可能な形成されている。
【００４０】
遊技盤２０は、遊技盤固定枠２１に取り付ける際、まず、その左側端部を側端保持部２２の凹部内に、ばね弾性を生じさせながら嵌め込み、遊技盤２０の右側縁部をある程度の範囲で回動可能に保持させる。
【００４１】
その状態で、遊技盤２０の右側端部を、図１１のように、開放状態にあるクランプ装置１の挟持開口部３ａ内に軽く押し込むようにする。
【００４２】
このとき、図１１に示す如く、遊技盤２０の背面の右側端部が、先ずクランプ部材３の円弧状突出部４ａに当たり、クランプ部材３が背面側に押されながら、第１枢軸１１を中心に図１１の時計方向に回動する。さらに、クランプ部材３のクランプ側板４の円弧状突出部４ａが遊技盤２０からの押圧力を受けると、図１１のように、クランプ部材３及びアンクランプ部材８の組付体が第１枢軸１１を中心に時計方向にさらに回動し、このとき、アンクランプ部材８の開放用係止部１５に当接するベース係止部１４の接触位置は、開放用係止部１５から左側の傾斜面を経て山部１７に達する。
【００４３】
この時点で、図１１に示すように、遊技盤２０の縁部の前面が挟持部３ｂに当って挟持開口部３ａ内に嵌入し、板ばね部材７の円弧状先端部７ａが遊技盤２０の縁部の背面に当接する。なお、遊技盤の縁部をクランプ部材３の挟持開口部３ａに嵌め入れる際、膨出曲面部５ｃが円滑に遊技盤の縁部をガイドしてクランプするため、クランプ側板４の角部が遊技盤に当たって傷つけることがない。このように、遊技盤２０の縁部が板ばね部材７の円弧状先端部７ａとクランプ部材３の挟持部３ｂ間に進入し、ほぼ挟持された状態となる。
【００４４】
そしてさらに、ベース係止部１４とアンクランプ部材８の接触位置が、山部１７を超えると、図１１の左側に示すように、遊技盤２０の縁部がさらに挟持開口部３ａ内に嵌入し、背面側の板ばね部材７の円弧状先端部７ａとクランプ部材３の挟持部３ｂとの間で、遊技盤２０の縁部が強固に挟持される状態となる。
【００４５】
そして、最終的に、ベース係止部１４がアンクランプ部材８のクランプ用係止部１６の谷部に嵌入し、クランプが完了する。この状態で、遊技盤２０の縁部を保持し第１枢軸１１を軸に軸支されるクランプ部材３は、アンクランプ部材８がそのクランプ用係止部１６をベース係止部１４に当接させ係止させているため、第１枢軸１１を軸とする回動が完全にロックされ、クランプ状態は強固に保持されることとなる。
【００４６】
このように、遊技盤２０の縁部を、開放状態にあるクランプ装置１のクランプ部材３の挟持開口部３ａ内に挿入し、押し込むように回動させるだけの簡単な操作により、遊技盤２０の縁部をクランプさせて、遊技盤２０を被固定部である遊技盤固定枠２１に対し固定することができる。図１３に示す遊技盤固定枠２１の場合、クランプ装置１はその右側端部の上部と下部に固定されており、遊技盤２０の右側端部を上下のクランプ装置１に対し押し込むだけの極めて簡単なワンアクション操作のみで、遊技盤２０の右側端部の上部と下部をクランプすることができる。
【００４７】
また、このような遊技盤２０のクランプ操作時に、遊技盤２０の縁部が誤ってクランプ装置１のアンクランプ部材８の先端に当ったとしても、図１０に示すように、アンクランプ部材８はその開放用係止部１５がベース係止部１４に当接してロックされているので、図１０の時計方向にアンクランプ部材８やクランプ部材３が回動することはない。したがって、遊技盤２０の縁部がアンクランプ部材８の先端に誤って当った場合でも、クランプ装置１が誤動作することは防止される。
【００４８】
さらに、遊技盤２０の縁部を、開放状態にあるクランプ装置１のクランプ部材３の挟持開口部３ａに挿入し、クランプ部材３を押し込むように回動させたとき、何らかの理由で遊技盤２０のクランプ動作を戻したい場合、図１１の右側に示す状態であれば、つまり、アンクランプ部材８の山部１７がベース係止部１４を超えない範囲内であれば、クランプ動作は簡単に開放状態に戻すことができ、クランプ操作が非常に容易である。
【００４９】
一方、クランプ装置１を開放する場合、図１２のように、アンクランプ部材８の正面側端部の操作部８ａを手前に引く。このとき、アンクランプ部材８は、第２枢軸１２を中心に図１２の反時計方向に僅かに回動し、アンクランプ部材８のクランプ用係止部１６がベース係止部１４から離れ、ベース係止部１４の当接部分が傾斜面を経て山部１７を越える。
【００５０】
このとき、使用者は操作部８ａを持って図１２の反時計方向に回動させているので、ベース係止部１４の当接部分が傾斜面を経て山部１７を越えると、クランプ部材３及びアンクランプ部材８の組付体は、弾性片６の付勢力により、第１枢軸１１を中心に図１２の反時計方向に回動し、最終的にクランプ部材３は、図１２の最上段のように、広く開放された状態となり、遊技盤２０はクランプから開放される。またこのとき、遊技盤２０の縁部は、板ばね部材７のばね力により開放側に押圧されるため、それにより、遊技盤２０の縁部は自動的に前方に押し出され、開放されることとなる。
【００５１】
このように、遊技盤２０を外す際には、クランプ装置１のアンクランプ部材８を開放側に操作して、ベース係止部１４に対するクランプ用係止部１６の係合を外すと、クランプ部材３及びアンクランプ部材８が操作力及び弾性片６のばね力により、開放側に回動し、且つ遊技盤２０の縁部が板ばね部材７により押し出すように付勢されるから、アンクランプ部材８を手前に引くだけの簡単な操作により、遊技盤２０を遊技盤固定枠２１から離脱させることができる。
【００５２】
また、クランプ装置１のアンクランプ部材８を開放側に操作して、ベース係止部１４に対するクランプ用係止部１６の係合を外す際、図１２に示すように、アンクランプ部材８の操作部８ａの回動範囲がある程度の範囲内であれば、つまりベース係止部１４がアンクランプ部材８の山部１７を越えるまでの範囲内であれば、アンクランプ部材８は弾性片６の付勢力によりクランプ状態に戻るため、誤ってクランプを開放してしまう不具合を防止することができる。
【００５３】
なお、上記実施形態では、図１３のように、遊技盤固定枠２１の上部にクランプ装置１を下向きに固定し、その下部に別のクランプ装置１を上向きに固定して使用したが、図１４のように、遊技盤固定枠２１の上部と下部にクランプ装置１を横向きに（遊技盤２０の縁部に向けて水平に）固定して使用することもできる。また、クランプ装置１を固定する遊技盤固定枠２１の位置としては、上記のように、右側端部の他、枠の上辺部としてクランプ装置１を下向きに固定し、或いは枠の下辺部としてクランプ装置１を上向きに固定して使用することもできる。
【符号の説明】
【００５４】
１      クランプ装置
２      ベース部材
３      クランプ部材
３ａ    挟持開口部
３ｂ    挟持部
４      クランプ側板
４ａ    円弧状突出部
５      クランプ本体
５ｃ    膨出曲面部
６      弾性片
７      板ばね部材
８      アンクランプ部材
８ａ    操作部
１１    第１枢軸
１２    第２枢軸
１３    固定ピン
１４    ベース係止部
１５    開放用係止部
１６    クランプ用係止部
【図１】
0005420348.tif 000002
【図２】
0005420348.tif 000003
【図３】
0005420348.tif 000004
【図４】
0005420348.tif 000005
【図５】
0005420348.tif 000006
【図６】
0005420348.tif 000007
【図７】
0005420348.tif 000008
【図８】
0005420348.tif 000009
【図９】
0005420348.tif 000010
【図１０】
0005420348.tif 000011
【図１１】
0005420348.tif 000012
【図１２】
0005420348.tif 000013
【図１３】
0005420348.tif 000014
【図１４】
0005420348.tif 000015